(57)【要約】【課題】オペレータが成形データの設定を容易に行うことを可能とする。【解決手段】表示制御装置１０において、第１表示制御部２０は、複数の成形条件の表示サイズおよび表示位置を含むレイアウト情報３２に基づいて、複数の成形条件の値を第１表示領域３０に表示させる。データ設定部２２は、第１表示領域３０に表示された複数の成形条件の値を成形データとして設定する。第２表示制御部２６は、レイアウト情報３２に基づいて、第１表示領域３０と同一のレイアウトで、記憶部１６に記憶された成形データに基づく複数の成形条件の値を第２表示領域３６に閲覧表示させる。【選択図】図１
2019077075.tif 000002
【特許請求の範囲】
【請求項１】
複数の成形条件の値を表示装置の第１表示領域に表示させる第１表示制御部と、
前記第１表示領域に表示された複数の前記成形条件の値を、射出成形機の成形動作に用いられる成形データとして設定するデータ設定部と、
前記データ設定部で設定された前記成形データを記憶する記憶部と、
前記記憶部に記憶された前記成形データに基づいて、複数の前記成形条件の値を前記表示装置の第２表示領域に閲覧表示させる第２表示制御部と、
を備え、
前記第１表示制御部は、複数の前記成形条件の表示サイズおよび表示位置を含むレイアウト情報に基づいて、複数の前記成形条件の値を前記第１表示領域に表示させ、
前記第２表示制御部は、前記レイアウト情報に基づいて、前記第１表示領域と同一のレイアウトで、複数の前記成形条件の値を前記第２表示領域に閲覧表示させる、表示制御装置。
【請求項２】
請求項１に記載の表示制御装置であって、
前記第１表示領域は、前記第２表示領域より大きく、
前記第２表示領域は、前記第１表示領域内にある、表示制御装置。
【請求項３】
請求項２に記載の表示制御装置であって、
前記第２表示制御部は、前記第２表示領域を前記第１表示領域よりも前面に閲覧表示させる、表示制御装置。
【請求項４】
請求項１に記載の表示制御装置であって、
前記表示装置は、前記第１表示領域を有する第１表示部と、前記第２表示領域を有する第２表示部とを備える、表示制御装置。
【請求項５】
請求項１〜４のいずれか１項に記載の表示制御装置であって、
前記第２表示領域のサイズに基づいて前記レイアウト情報を補正する補正部を備え、
前記第２表示制御部は、補正された前記レイアウト情報に基づいて、前記第１表示領域と同一のレイアウトで、前記成形データに基づく複数の前記成形条件の値を前記第２表示領域に閲覧表示させる、表示制御装置。
【請求項６】
請求項５に記載の表示制御装置であって、
前記表示装置は、複数の前記第２表示領域を有し、
前記補正部は、複数の前記第２表示領域毎に、前記第２表示領域のサイズおよび位置に基づいて前記レイアウト情報を補正し、
前記第２表示制御部は、補正された複数の前記レイアウト情報に基づいて、前記第１表示領域と同一のレイアウトで、複数の前記第２表示領域に、複数の前記成形データの各々に基づく複数の前記成形条件の値を閲覧表示させる、表示制御装置。
【請求項７】
請求項１〜６のいずれか１項に記載の表示制御装置であって、
前記第２表示制御部は、オペレータの操作に応じて前記第２表示領域のサイズおよび位置を変更させる、表示制御装置。
【請求項８】
請求項１〜７のいずれか１項に記載の表示制御装置であって、
前記第１表示領域に表示される複数の前記成形条件の値と、前記第２表示領域に閲覧表示される複数の前記成形条件の値とを比較する比較部を備え、
異なる成形条件の値があると前記比較部が判定した場合、前記第２表示制御部は、前記第１表示領域に表示される複数の前記成形条件の値とは異なる成形条件の値を強調表示させる、表示制御装置。
【請求項９】
請求項１〜８のいずれか１項に記載の表示制御装置であって、
前記第１表示領域に表示される複数の前記成形条件の値と、前記第２表示領域に閲覧表示される複数の前記成形条件の値とを比較する比較部を備え、
異なる成形条件の値があると前記比較部が判定した場合、前記第１表示制御部は、前記第２表示領域に閲覧表示される複数の前記成形条件の値とは異なる成形条件の値を強調表示させる、表示制御装置。
【請求項１０】
請求項１〜９のいずれか１項に記載の表示制御装置であって、
前記第１表示制御部は、これから行われる前記射出成形機の成形動作に用いられる複数の前記成形条件の値を、前記第１表示領域に表示させる、表示制御装置。
【請求項１１】
請求項１〜１０のいずれか１項に記載の表示制御装置であって、
前記第１表示制御部は、前記データ設定部が設定した成形データに基づいて、複数の前記成形条件の値を前記第１表示領域に表示させ、
前記第２表示制御部は、前記データ設定部が設定し、前記記憶部に記憶された成形データであって、前記第１表示領域の表示に用いられた成形データとは異なる成形データに基づいて、複数の前記成形条件の値を前記第２表示領域に表示させる、表示制御装置。
【請求項１２】
請求項１１に記載の表示制御装置であって、
前記第１表示制御部は、前記データ設定部が設定した成形データであって、前記射出成形機の現在の成形動作で用いられている成形データに基づく複数の前記成形条件の値を前記第１表示領域に表示させる、表示制御装置。
【請求項１３】
第１表示制御部により、複数の成形条件の値を表示装置の第１表示領域に表示させる第１ステップと、
データ設定部により、前記第１表示領域に表示された複数の前記成形条件の値を、射出成形機の成形動作に用いられる成形データとして設定する第２ステップと、
設定された前記成形データを記憶部に記憶する第３ステップと、
第２表示制御部により、前記記憶部に記憶された前記成形データに基づいて、複数の前記成形条件の値を前記表示装置の第２表示領域に閲覧表示させる第４ステップと、
を備え、
前記第１ステップでは、前記第１表示制御部は、複数の前記成形条件の表示サイズおよび表示位置を含むレイアウト情報に基づいて、複数の前記成形条件の値を前記第１表示領域に表示させ、
前記第４ステップでは、前記第２表示制御部は、前記レイアウト情報に基づいて、前記第１表示領域と同一のレイアウトで、複数の前記成形条件の値を前記第２表示領域に閲覧表示させる、表示制御方法。
【請求項１４】
請求項１３に記載の表示制御方法であって、
前記表示装置は、前記第１表示領域を有する第１表示部と、前記第２表示領域を有する第２表示部とを備える、表示制御方法。
【請求項１５】
請求項１３または１４に記載の表示制御方法であって、
前記第２表示制御部は、補正部によって前記第２表示領域のサイズに基づいて前記レイアウト情報が補正された後に、補正された前記レイアウト情報に基づいて、前記第１表示領域と同一のレイアウトで、前記成形データに基づく複数の成形条件の値を前記第２表示領域に閲覧表示させる、表示制御方法。
【発明の詳細な説明】
【技術分野】
【０００１】
本発明は、複数の成形条件の値を表示装置に表示させる表示制御装置および表示制御方法に関する。
【背景技術】
【０００２】
射出成形機の成形動作に用いられる成形データを記憶部に予め記憶し、記憶された成形データに基づいて、複数の成形条件の値を表示装置の表示領域に表示させることが、従来より行われている。
【０００３】
下記の特許文献１には、記憶メディア（記憶部）から読み出した成形条件データ（成形データ）をコントローラの一時記憶エリアに書き込み、書き込んだ成形条件データの一部（成形条件の値）をディスプレイ（表示装置）にプレビュー表示させ、プレビュー表示された一部のデータが目的とする成形条件であれば、一時記憶エリアに書き込まれた成形条件データを、成形動作に使用する成形条件データとしてデータ格納エリアに保存することが開示されている。
【先行技術文献】
【特許文献】
【０００４】
【特許文献１】特開２００４−１５５０８７号公報
【発明の概要】
【発明が解決しようとする課題】
【０００５】
しかしながら、特許文献１では、成形データを設定する際、例えば、過去に設定した成形データを読み出して閲覧表示させることは行われていない。そのため、射出成形機のオペレータは、適切な成形データを設定することが容易ではなかった。
【０００６】
そこで、本発明は、オペレータが成形データの設定を容易に行うことができる表示制御装置および表示制御方法を提供することを目的とする。
【課題を解決するための手段】
【０００７】
本発明の第１の態様は、表示制御装置であって、複数の成形条件の値を表示装置の第１表示領域に表示させる第１表示制御部と、前記第１表示領域に表示された複数の前記成形条件の値を、射出成形機の成形動作に用いられる成形データとして設定するデータ設定部と、前記データ設定部で設定された前記成形データを記憶する記憶部と、前記記憶部に記憶された前記成形データに基づいて、複数の前記成形条件の値を前記表示装置の第２表示領域に閲覧表示させる第２表示制御部と、を備え、前記第１表示制御部は、複数の前記成形条件の表示サイズおよび表示位置を含むレイアウト情報に基づいて、複数の前記成形条件の値を前記第１表示領域に表示させ、前記第２表示制御部は、前記レイアウト情報に基づいて、前記第１表示領域と同一のレイアウトで、複数の前記成形条件の値を前記第２表示領域に閲覧表示させる。
【０００８】
本発明の第２の態様は、表示制御方法であって、第１表示制御部により、複数の成形条件の値を表示装置の第１表示領域に表示させる第１ステップと、データ設定部により、前記第１表示領域に表示された複数の前記成形条件の値を、射出成形機の成形動作に用いられる成形データとして設定する第２ステップと、設定された前記成形データを記憶部に記憶する第３ステップと、第２表示制御部により、前記記憶部に記憶された前記成形データに基づいて、複数の前記成形条件の値を前記表示装置の第２表示領域に閲覧表示させる第４ステップと、を備え、前記第１ステップでは、前記第１表示制御部は、複数の前記成形条件の表示サイズおよび表示位置を含むレイアウト情報に基づいて、複数の前記成形条件の値を前記第１表示領域に表示させ、前記第４ステップでは、前記第２表示制御部は、前記レイアウト情報に基づいて、前記第１表示領域と同一のレイアウトで、複数の前記成形条件の値を前記第２表示領域に閲覧表示させる。
【発明の効果】
【０００９】
本発明によれば、表示装置の第１表示領域および第２表示領域に、複数の成形条件の値を同一のレイアウトで表示させるので、射出成形機のオペレータは、各表示領域に表示された複数の成形条件の値を比較することで、成形データの設定を容易に行うことができる。
【図面の簡単な説明】
【００１０】
【図１】本実施の形態の表示制御装置のブロック図である。
【図２】図１の表示装置の表示例の概念図である。
【図３】図２の他の表示例の概念図である。
【図４】図２および図３の他の表示例の概念図である。
【図５】図１の表示制御装置のフローチャートである。
【図６】図１の表示制御装置のフローチャートである。
【図７】図２〜図４の第１表示領域の具体的な表示例を示す図である。
【図８】図４の第１表示領域および第２表示領域での具体的な表示例を示す図である。
【図９】図８の他の表示例を示す図である。
【図１０】図１の表示制御装置の他の構成例を示すブロック図である。
【図１１】図１０の表示装置の表示例の概念図である。
【発明を実施するための形態】
【００１１】
本発明に係る表示制御装置および表示制御方法について、好適な実施の形態を掲げ、添付の図面を参照しながら、以下詳細に説明する。
【００１２】
［本実施の形態の構成（表示制御装置１０の説明）］
図１に示すように、本実施の形態の表示制御装置１０は、不図示の射出成形機の成形動作に用いられる成形データに基づいて、複数の成形条件の値を、ＬＣＤ（液晶表示器）等の表示装置１１に表示させるための表示制御装置である。なお、成形条件の値とは、例えば、射出成形機の射出圧力、射出速度または射出温度のように、成形動作を行うために必要な成形条件の具体的な設定値をいう。
【００１３】
表示制御装置１０は、表示装置１１と、表示装置１１を制御する制御部１５と、複数の成形データを記憶する記憶部１６と、射出成形機のオペレータが操作する入力操作部１８とを有する。入力操作部１８は、表示装置１１と一体的に構成されたタッチパネル、または、表示装置１１とは別体のキーボードやマウス等の入力機器である。表示制御装置１０は、オペレータによる入力操作部１８の操作に基づいて、所定の処理を実行する。
【００１４】
制御部１５は、第１表示制御部２０と、データ設定部２２と、補正部２４と、第２表示制御部２６と、比較部２７とを備える。
【００１５】
第１表示制御部２０は、オペレータによる入力操作部１８の操作によって入力された複数の成形条件の値を、表示装置１１の画面（図２の表示領域４４）上の第１表示領域３０に表示させる。この場合、第１表示制御部２０は、第１表示領域３０での複数の成形条件の表示サイズおよび表示位置を含むレイアウト情報３２に基づいて、複数の成形条件の値を第１表示領域３０に表示させる。図１において、レイアウト情報３２は、第１表示制御部２０内の図示しないメモリに保存されているが、記憶部１６等に記憶させておくことも可能である。また、レイアウト情報３２は、成形データに紐付けて保存されてもよいし、または、成形データと紐付けることなく保存されてもよい。
【００１６】
なお、第１表示領域３０とは、図２に示すように、表示装置１１の表示領域４４において、複数の成形条件の値を表示可能な領域をいう。また、第１表示領域３０に表示される複数の成形条件の値は、オペレータによる入力操作部１８の操作によって入力された、これから行われる射出成形機の成形動作に用いられる複数の成形条件の値、または、射出成形機の現在の成形動作で用いられている成形データに基づく複数の成形条件の値である。
【００１７】
図１に戻り、データ設定部２２は、オペレータが入力操作部１８を操作して入力し、第１表示部１２の第１表示領域３０（図２参照）に表示された複数の成形条件の値を成形データとして設定する。設定された成形データは、第１表示制御部２０によって、第１表示領域３０に表示される。この場合、第１表示領域３０に表示された成形データの設定内容を見たオペレータが、入力操作部１８を操作して、設定された成形データの保存を指示すると、データ設定部２２は、設定した成形データを記憶部１６に記憶させる。記憶部１６に記憶されている複数の成形データの中には、射出成形機の現在の成形動作で用いられている成形データも含まれる。
【００１８】
なお、第１表示制御部２０は、データ設定部２２によって過去に設定され、記憶部１６に記憶された成形データを読み出し、読み出した成形データを構成する複数の成形条件の値を第１表示領域３０に表示することも可能である。このようにすれば、オペレータは、表示されている複数の成形条件の値に上書きする形で、新たな成形データを設定することができる。
【００１９】
第２表示制御部２６は、記憶部１６に記憶された複数の成形データの中から、所望の１または複数の成形データを読み出し、読み出した成形データを構成する複数の成形条件の値を、表示装置１１の表示領域４４上の第２表示領域３６に閲覧表示させる。すなわち、第２表示領域３６に表示される複数の成形条件の値は、成形データを設定する際、第１表示領域３０に表示される複数の成形条件の値の比較対象として、第２表示領域３６に閲覧表示される。
【００２０】
なお、第２表示領域３６とは、図２に示すように、表示装置１１の表示領域４４において、複数の成形条件の値を表示可能な領域をいう。図２では、一例として、表示装置１１の表示領域４４に、１つの第１表示領域３０と、複数の第２表示領域３６とを分割配置した場合を図示している。この場合、複数の第２表示領域３６は、いずれも第１表示領域３０と同じサイズであるとともに、異なる位置に分割配置されている。また、複数の第２表示領域３６の各々には、異なる成形データの複数の成形条件の値が閲覧表示される。
【００２１】
また、表示制御装置１０では、表示装置１１に図３または図４の表示内容を表示させることも可能である。図３の表示例は、表示装置１１の表示領域４４に、第１表示領域３０が全体的に表示されるとともに、第１表示領域３０の前面に、第１表示領域３０よりも小さなサイズの複数の第２表示領域３６が重畳表示されている場合を図示している。この場合、複数の第２表示領域３６は、第１表示領域３０内で、表示領域の一部が重なり合うように配置されている。
【００２２】
図４の表示例は、表示装置１１の表示領域４４に、第１表示領域３０が全体的に表示されるとともに、第１表示領域３０の前面に、第１表示領域３０よりも小さなサイズの１つの第２表示領域３６が重畳表示されている場合を図示している。したがって、第２表示領域３６は、第１表示領域３０内に配置されている。また、表示装置１１の表示内容を見たオペレータが、入力操作部１８（図１参照）を操作し、第２表示領域３６のサイズおよび位置の変更を指示した場合、第２表示制御部２６は、オペレータの指示内容に基づき、第２表示領域３６のサイズおよび位置を、図４に示す破線の表示領域から実線の表示領域に変更することができる。
【００２３】
補正部２４（図１参照）は、１の第２表示領域３６、または、複数の第２表示領域３６毎に、表示装置１１の表示領域４４に対する第２表示領域３６のサイズおよび位置に基づいて、第１表示領域３０のレイアウト情報３２を補正する。第２表示制御部２６は、１の第２表示領域３６、または、複数の第２表示領域３６の各々について、補正部２４で補正されたレイアウト情報３２に基づいて、第１表示領域３０と同一のレイアウトで、記憶部１６から読み出した成形データに基づく複数の成形条件の値を閲覧表示させる。
【００２４】
比較部２７は、第１表示領域３０と１または複数の第２表示領域３６との各々に、複数の成形条件の値が表示されている場合に、第１表示領域３０に表示される複数の成形条件の値と、１または複数の第２表示領域３６の各々に閲覧表示される複数の成形条件の値とを比較する。異なる成形条件の値があると比較部２７が判定した場合、第１表示制御部２０は、第１表示領域３０について、１または複数の第２表示領域３６に表示される複数の成形条件の値とは異なる成形条件の値を強調表示させる。また、異なる成形条件の値があると比較部２７が判定した場合、第２表示制御部２６は、１または複数の第２表示領域３６の各々について、第１表示領域３０に表示される複数の成形条件の値とは異なる成形条件の値を強調表示させる。
【００２５】
［本実施の形態の動作（表示制御方法の説明）］
次に、表示制御装置１０の動作（表示制御方法）について、図５〜図９を参照しながら説明する。また、この動作説明では、必要に応じて、図１〜図４も参照しながら説明する。
【００２６】
ステップＳ１において、射出成形機のオペレータは、入力操作部１８（図１参照）を操作し、過去に設定した成形データの読み出しを指示する。第２表示制御部２６は、記憶部１６に記憶されている複数の成形データの中から、操作内容に応じた複数の成形データを読み出す。補正部２４は、読み出した複数の成形データの各々について第２表示領域３６に表示させるために、表示装置１１の表示領域４４に対する複数の第２表示領域３６のサイズおよび位置に基づいて、第１表示領域３０のレイアウト情報３２を補正する。これにより、ステップＳ２において、第２表示制御部２６は、読み出した複数の成形データの各々について、補正部２４で補正されたレイアウト情報３２に基づき、成形データを構成する複数の成形条件の値を、第１表示領域３０と同一のレイアウトで、第２表示領域３６に閲覧表示させる。
【００２７】
次のステップＳ３において、第１表示制御部２０は、第１表示領域３０のレイアウト情報３２に基づいて、複数の成形条件の値を入力するための入力画面を第１表示領域３０に表示させる。
【００２８】
図７は、第１表示領域３０での入力画面の具体的な表示例を図示したものである。すなわち、図７は、オペレータによる入力操作部１８の操作によって、これから複数の成形条件の値（成形データ）を設定するときの第１表示領域３０の表示内容を図示している。
【００２９】
第１表示領域３０には、射出成形機の金型の型閉じおよび型開きに関する成形条件を表示する第１成形条件表示部３８と、エジェクタに関する成形条件を表示する第２成形条件表示部４０とが表示されている。第１成形条件表示部３８には、固定型に対する可動型のストロークを複数の区間に分割したときの分割位置と、型閉じおよび型開きにおける各区間での可動型の移動速度とが、複数の成形条件の値として表示されている。一方、第２成形条件表示部４０には、型開き後に成形品を取り出す際のエジェクタの位置、移動速度および移動時間が、複数の成形条件の値として表示されている。なお、図７の表示内容は、一例であって、射出圧力、射出速度または射出温度等、他の成形条件を第１表示領域３０に表示させてもよい。
【００３０】
なお、前述のように、１または複数の第２表示領域３６は、第１表示領域３０と同一のレイアウトで閲覧表示されている。したがって、１または複数の第２表示領域３６の各々には、過去の成形データに応じた複数の成形条件の値が、図７と同様のレイアウトで表示されている。
【００３１】
そこで、ステップＳ４（第１ステップ）において、オペレータは、１または複数の第２表示領域３６に閲覧表示されている複数の成形条件の値を参照しつつ、入力操作部１８を操作して、射出成形機の成形動作を行わせるための複数の成形条件の値を入力する。第１表示制御部２０は、入力された複数の成形条件の値を第１表示領域３０の所定の箇所に表示させることで、第１表示領域３０の表示内容を更新する。
【００３２】
次のステップＳ５において、比較部２７は、第１表示領域３０に表示されている複数の成形条件の値と、１または複数の第２表示領域３６に表示されている複数の成形条件の値とを比較する。両者を比較した結果、異なる成形条件の値がある、すなわち、不一致の表示項目があると比較部２７が判断した場合（ステップＳ６：ＹＥＳ）、次のステップＳ７において、第２表示制御部２６は、１または複数の第２表示領域３６について、第１表示領域３０に表示される複数の成形条件の値とは異なる成形条件の値（表示項目）を強調表示させる。また、第１表示制御部２０は、第１表示領域３０について、１または複数の第２表示領域３６に閲覧表示される複数の成形条件の値とは異なる成形条件の値を強調表示させてもよい。あるいは、第１表示制御部２０および第２表示制御部２６は、それぞれ、異なる成形条件の値を強調表示させてもよい。
【００３３】
なお、不一致の表示項目がない場合（ステップＳ６：ＮＯ）、ステップＳ７の処理はスキップされる。
【００３４】
図８および図９は、第１表示領域３０および第２表示領域３６での複数の成形条件の値の具体的な表示例を図示したものである。すなわち、図８および図９は、図４の具体例である。なお、図８および図９の第１表示領域３０および第２表示領域３６に表示されている複数の成形条件は、図７の具体例と同様である。
【００３５】
図８および図９では、第１表示領域３０に表示された複数の成形条件の値と、第２表示領域３６に表示された複数の成形条件の値との間で、相違する表示内容を強調表示している。
【００３６】
具体的に、図８では、第１表示領域３０の複数の成形条件の値とは異なる、第２表示領域３６の複数の成形条件の値、すなわち、第２表示領域３６における第１成形条件表示部３８の型閉じでの可動型の移動速度「１５０．０」ｍｍ／ｓと、第２成形条件表示部４０でのエジェクタの後退速度「１００．０」ｍｍ／ｓとの各項目について、所定の色（例えば、斜線のハッチングで図示した赤色）で強調表示している。また、図９では、第２表示領域３６の複数の成形条件の値とは異なる、第１表示領域３０の複数の成形条件の値、すなわち、第１表示領域３０における第１成形条件表示部３８の型閉じでの可動型の移動速度「２００．０」ｍｍ／ｓと、第２成形条件表示部４０でのエジェクタの後退速度「２００．０」ｍｍ／ｓとの各項目について、所定の色で強調表示している。
【００３７】
いずれの具体例でも、第１表示領域３０と第２表示領域３６との間で、異なる成形条件の値が所定の色で強調表示されるので、オペレータは、第１表示領域３０に表示される複数の成形条件の値と、第２表示領域３６に表示される複数の成形条件の値とを一層容易に比較することができる。なお、この強調表示については、図２および図３の表示例にも適用可能であることはもちろんである。
【００３８】
図５に戻り、ステップＳ８において、データ設定部２２は、第１表示領域３０（図２〜図４、図７および図８参照）に表示されている複数の成形条件の値を新たな成形データとして設定するか否かを判断する。例えば、オペレータが入力操作部１８を操作して、第１表示領域３０の表示内容での成形データの設定を指示した場合（ステップＳ８：ＹＥＳ）、次のステップＳ９（第２ステップ、第３ステップ）において、データ設定部２２は、オペレータの指示内容に基づき、第１表示領域３０に表示されている複数の成形条件の値を新たな成形データとして設定する。設定された新たな成形データは、第１表示領域３０に表示され、記憶部１６に記憶される。
【００３９】
一方、第１表示領域３０に表示されている複数の成形条件の値を変更する指示内容が入力操作部１８を介して入力された場合、または、所定時間経過してもオペレータからの指示がない場合（ステップＳ８：ＮＯ）、ステップＳ４〜Ｓ８の処理が繰り返し行われる。
【００４０】
このようにして設定された成形データを射出成形機に供給することにより、射出成形機は、供給された成形データに基づいて成形動作を行うことができる。また、図５の処理を繰り返し行うことにより、記憶部１６には、データ設定部２２により設定された成形データが順次記憶される。
【００４１】
なお、上記の処理は、記憶部１６に予め成形データが記憶されている場合の成形データの設定作業であった。図５において、（１）記憶部１６に成形データが記憶されていない場合、（２）表示装置１１に第１表示領域３０のみ表示させた状態で成形データの設定作業が行われる場合、または、（３）オペレータが第２表示領域３６の表示内容を確認することなく成形データの設定作業を行う場合には、図５中で破線に示すように、ステップＳ１、Ｓ２、Ｓ５〜Ｓ７の処理がスキップされる。
【００４２】
次に、上述した成形データの設定後、これから行われる射出成形機の成形動作に用いられる複数の成形条件の値、または、射出成形機の現在の成形動作で用いられている複数の成形条件の値と、過去の成形動作で用いられた複数の成形条件の値とを比較したい場合には、図６の処理が行われる。図６の処理は、例えば、成形動作中、複数の成形条件の値を変更したい場合に適用される。
【００４３】
図６のステップＳ１１において、オペレータは、図５のステップＳ１と同様に、入力操作部１８（図１参照）を操作し、過去の成形データの読み出しを指示する。第２表示制御部２６は、記憶部１６に記憶されている複数の成形データの中から、操作内容に応じた複数の成形データを読み出す。また、補正部２４は、読み出した複数の成形データの各々について、表示装置１１の表示領域４４に対する１または複数の第２表示領域３６のサイズおよび位置に基づき、第１表示領域３０のレイアウト情報３２を補正する。これにより、ステップＳ１２（第３ステップ）において、第２表示制御部２６は、図５のステップＳ２と同様に、読み出した複数の成形データの各々について、補正されたレイアウト情報３２に基づき、成形データを構成する複数の成形条件の値を、第１表示領域３０と同一のレイアウトで、１または第２表示領域３６に閲覧表示させる。
【００４４】
次に、ステップＳ１３において、オペレータは、入力操作部１８（図１参照）を操作し、現在設定されている成形データの読み出しを指示する。第１表示制御部２０は、記憶部１６に記憶されている複数の成形データの中から、現在設定されている成形データを読み出し、次のステップＳ１４において、読み出した成形データの複数の成形条件の値を第１表示領域３０に表示させる。
【００４５】
なお、前述のように、成形データの設定後、設定された成形データが第１表示領域３０に表示されるので、現在設定されている成形データが既に第１表示領域３０に表示されている場合には、図６で破線に示したように、ステップＳ１３、Ｓ１４の処理はスキップされる。また、図６の処理では、先にステップＳ１３、Ｓ１４の処理を行い、その後、ステップＳ１１、Ｓ１２の処理を実行することも可能である。
【００４６】
次のステップＳ１５において、比較部２７は、図５のステップＳ５と同様に、第１表示領域３０に表示されている複数の成形条件の値と、１または複数の第２表示領域３６に表示されている複数の成形条件の値とを比較する。この場合、不一致の表示項目があれば（ステップＳ１６：ＹＥＳ）、次のステップＳ１７において、図５のステップＳ７と同様に、第１表示制御部２０、および／または、第２表示制御部２６は、異なる成形条件の値を強調表示させる。なお、不一致の表示項目がない場合（ステップＳ１６：ＮＯ）、ステップＳ１７の処理はスキップされる。
【００４７】
これにより、オペレータは、同じレイアウトで表示された、第１表示領域３０の複数の成形条件の値と、１または第２表示領域３６の複数の成形条件の値とを比較しながら、現在設定されている成形データについて、複数の成形条件の値を容易に変更することができる。また、現在設定されている成形データと、閲覧表示されている成形データとの間で、異なる成形条件の値が強調表示されているので、複数の成形条件の値の比較が容易となる。
【００４８】
［本実施の形態の変形例］
次に、本実施の形態の変形例を図１０および図１１を参照しながら説明する。なお、以下の説明では、図１〜図９に示す構成要素と同じ構成要素については、同じ参照符号を付けて、詳細な説明を省略する。
【００４９】
図１０では、表示装置１１が、第１表示領域３０を有する第１表示部１２と、１または複数の第２表示領域３６を有する第２表示部１４とを備える点（図１１参照）で、図１の構成とは異なる。したがって、図１０の変形例では、図１１に示すように、第１表示部１２の画面（表示領域２８）に第１表示領域３０が配置され、一方で、第２表示部１４の画面（表示領域３４）に１または複数の第２表示領域３６が配置される。
【００５０】
この場合、補正部２４は、表示領域３４に対する１または複数の第２表示領域３６のサイズおよび位置に基づいて、第１表示領域３０のレイアウト情報３２を補正する。第２表示制御部２６は、１の第２表示領域３６、または、複数の第２表示領域３６の各々について、補正されたレイアウト情報３２に基づいて、第１表示領域３０と同一のレイアウトで、成形データを構成する複数の成形条件の値を閲覧表示させる。
【００５１】
［実施の形態から得られる技術的思想］
上記の実施の形態から把握しうる技術的思想について、以下に記載する。
【００５２】
表示制御装置（１０）であって、複数の成形条件の値を表示装置（１１）の第１表示領域（３０）に表示させる第１表示制御部（２０）と、第１表示領域（３０）に表示された複数の成形条件の値を、射出成形機の成形動作に用いられる成形データとして設定するデータ設定部（２２）と、データ設定部（２２）で設定された成形データを記憶する記憶部（１６）と、記憶部（１６）に記憶された成形データに基づいて、複数の成形条件の値を表示装置（１１）の第２表示領域（３６）に閲覧表示させる第２表示制御部（２６）とを備え、第１表示制御部（２０）は、複数の成形条件の表示サイズおよび表示位置を含むレイアウト情報（３２）に基づいて、複数の成形条件の値を第１表示領域（３０）に表示させ、第２表示制御部（２６）は、レイアウト情報（３２）に基づいて、第１表示領域（３０）と同一のレイアウトで、複数の成形条件の値を第２表示領域（３６）に閲覧表示させる。
【００５３】
これにより、表示装置（１１）の第１表示領域（３０）および第２表示領域（３６）に、複数の成形条件の値を同一のレイアウトで表示させるので、射出成形機のオペレータは、各表示領域（３０、３６）に表示された複数の成形条件の値を比較することで、成形データの設定を容易に行うことができる。
【００５４】
第１表示領域（３０）は、第２表示領域（３６）より大きく、第２表示領域（３６）は、第１表示領域（３０）内にある。
【００５５】
これにより、オペレータは、第１表示領域（３０）を見ながら成形データを設定する際に、第２表示領域（３６）に表示された複数の成形条件の値を容易に閲覧することができる。
【００５６】
第２表示制御部（２６）は、第２表示領域（３６）を第１表示領域（３０）よりも前面に閲覧表示させる。
【００５７】
この場合でも、オペレータは、第１表示領域（３０）を見ながら成形データを設定する際に、第２表示領域（３６）に表示された複数の成形条件の値を容易に閲覧することができる。
【００５８】
表示装置（１１）は、第１表示領域（３０）を有する第１表示部（１２）と、第２表示領域（３６）を有する第２表示部（１４）とを備える。
【００５９】
２つの表示部（１２、１４）に第１表示領域（３０）と第２表示領域（３６）とをそれぞれ表示させる場合でも、複数の成形条件の値が同一のレイアウトで表示される。この結果、オペレータは、各表示領域（３０、３６）に表示された複数の成形条件の値を比較して、成形データの設定を容易に行うことができる。
【００６０】
表示制御装置（１０）は、第２表示領域（３６）のサイズに基づいてレイアウト情報（３２）を補正する補正部（２４）を備え、第２表示制御部（２６）は、補正されたレイアウト情報（３２）に基づいて、第１表示領域（３０）と同一のレイアウトで、成形データに基づく複数の成形条件の値を第２表示領域（３６）に閲覧表示させる。
【００６１】
これにより、オペレータは、第１表示領域（３０）および第２表示領域（３６）にそれぞれ表示された複数の成形条件の値の比較を容易に行うことができる。
【００６２】
表示装置（１１）は、複数の第２表示領域（３６）を有し、補正部（２４）は、複数の第２表示領域（３６）毎に、第２表示領域（３６）のサイズおよび位置に基づいてレイアウト情報（３２）を補正し、第２表示制御部（２６）は、補正された複数のレイアウト情報（３２）に基づいて、第１表示領域（３０）と同一のレイアウトで、複数の第２表示領域（３６）に、複数の成形データの各々に基づく複数の成形条件の値を閲覧表示させる。
【００６３】
これにより、オペレータは、第１表示領域（３０）に表示された複数の成形条件の値と、複数の第２表示領域（３６）の各々に閲覧表示された複数の成形条件の値とを容易に比較することができる。
【００６４】
第２表示制御部（２６）は、オペレータの操作に応じて第２表示領域（３６）のサイズおよび位置を変更させる。
【００６５】
これにより、オペレータの見やすいサイズおよび位置に第２表示領域（３６）を閲覧表示させることができる。
【００６６】
第１表示領域（３０）に表示される複数の成形条件の値と、第２表示領域（３６）に閲覧表示される複数の成形条件の値とを比較する比較部（２７）を備え、異なる成形条件の値があると比較部（２７）が判定した場合、第２表示制御部（２６）は、第１表示領域（３０）に表示される複数の成形条件の値とは異なる成形条件の値を強調表示させる。
【００６７】
これにより、異なる成形条件の値を容易に特定することができるので、成形データの設定を一層容易に行うことができる。
【００６８】
第１表示領域（３０）に表示される複数の成形条件の値と、第２表示領域（３６）に閲覧表示される複数の成形条件の値とを比較する比較部（２７）を備え、異なる成形条件の値があると比較部（２７）が判定した場合、第１表示制御部（２０）は、第２表示領域（３６）に閲覧表示される複数の成形条件の値とは異なる成形条件の値を強調表示させる。
【００６９】
この場合でも、異なる成形条件の値を容易に特定することができるので、成形データの設定を一層容易に行うことができる。
【００７０】
第１表示制御部（２０）は、これから行われる射出成形機の成形動作に用いられる複数の成形条件の値を、第１表示領域（３０）に表示させる。
【００７１】
これにより、成形データを容易に設定することができる。
【００７２】
第１表示制御部（２０）は、データ設定部（２２）が設定した成形データに基づいて、複数の成形条件の値を第１表示領域（３０）に表示させ、第２表示制御部（２６）は、データ設定部（２２）が設定し、記憶部（１６）に記憶された成形データであって、第１表示領域（３０）の表示に用いられた成形データとは異なる成形データに基づいて、複数の成形条件の値を第２表示領域（３６）に表示させる。
【００７３】
これにより、オペレータは、第１表示領域（３０）に表示された複数の成形条件の値と、第２表示領域（３６）に表示された複数の成形条件の値とを比較しながら、射出成形機の成形動作に好適な成形データの設定または変更等の作業を行うことができる。
【００７４】
第１表示制御部（２０）は、データ設定部（２２）が設定した成形データであって、射出成形機の現在の成形動作で用いられている成形データに基づく複数の成形条件の値を第１表示領域（３０）に表示させる。
【００７５】
これにより、オペレータは、第１表示領域（３０）に表示された複数の成形条件の値と、第２表示領域（３６）に表示された複数の成形条件の値とを比較しながら、成形動作中の成形データを適切な値に変更することができる。
【００７６】
表示制御方法であって、第１表示制御部（２０）により、複数の成形条件の値を表示装置（１１）の第１表示領域（３０）に表示させる第１ステップと、データ設定部（２２）により、第１表示領域（３０）に表示された複数の成形条件の値を、射出成形機の成形動作に用いられる成形データとして設定する第２ステップと、設定された成形データを記憶部（１６）に記憶する第３ステップと、第２表示制御部（２６）により、記憶部（１６）に記憶された成形データに基づいて、複数の成形条件の値を表示装置（１１）の第２表示領域（３６）に閲覧表示させる第４ステップとを備え、第１ステップでは、第１表示制御部（２０）は、複数の成形条件の表示サイズおよび表示位置を含むレイアウト情報（３２）に基づいて、複数の成形条件の値を第１表示領域（３０）に表示させ、第４ステップでは、第２表示制御部（２６）は、レイアウト情報（３２）に基づいて、第１表示領域（３０）と同一のレイアウトで、複数の成形条件の値を第２表示領域（３６）に閲覧表示させる。
【００７７】
これにより、表示装置（１１）の第１表示領域（３０）および第２表示領域（３６）に、複数の成形条件の値を同一のレイアウトで表示させるので、射出成形機のオペレータは、各表示領域（３０、３６）に表示された複数の成形条件の値を比較することで、成形データの設定を容易に行うことができる。
【符号の説明】
【００７８】
１０…表示制御装置                      １１…表示装置
１２…第１表示部                        １４…第２表示部
１５…制御部                            １６…記憶部
１８…入力操作部                        ２０…第１表示制御部
２２…データ設定部                      ２４…補正部
２６…第２表示制御部                    ２７…比較部
２８、３４、４４…表示領域              ３０…第１表示領域
３２…レイアウト情報                    ３６…第２表示領域
３８…第１成形条件表示部                ４０…第２成形条件表示部
【図１】
2019077075.tif 000003
【図２】
2019077075.tif 000004
【図３】
2019077075.tif 000005
【図４】
2019077075.tif 000006
【図５】
2019077075.tif 000007
【図６】
2019077075.tif 000008
【図７】
2019077075.tif 000009
【図８】
2019077075.tif 000010
【図９】
2019077075.tif 000011
【図１０】
2019077075.tif 000012
【図１１】
2019077075.tif 000013